【手続補正書】
【提出日】平成24年1月19日(2012.1.19)
【手続補正１】
【補正対象書類名】特許請求の範囲
【補正対象項目名】全文
【補正方法】変更
【補正の内容】
【特許請求の範囲】
【請求項１】
流量制御装置であって、
注水口、排水口、および前記注水口と前記排水口との間に配置されたスロートを規定するバルブ本体と；
前記バルブ本体の前記スロート内部に配置され第１位置と第２位置との間の変位に適応し、前記バルブ本体を介して流れる流体の流れを制御する制御エレメントと；
バルブシートと保持リングとを備えるトリムアッセンブリであって、前記バルブシートは前記スロート内部でバルブ本体に固定されており、前記保持リングは前記バルブシートに螺合して接続されている、トリムアッセンブリと；
グラファイト材を備えるシールであって、前記バルブシートと前記保持リングとの間に圧縮されるとともに、前記バルブ本体に係合して、前記トリムアッセンブリと前記バルブ本体との間に流体密着シールを提供するものであるシールと、
を備えている、流量制御装置。
【請求項２】
前記バルブシートは、シートリング部と、前記シートリング部からの前記スロートに対向して配置された上部リング部とを備えており、前記シートリング部は、前記制御エレメントが前記第１位置にある場合に第１シート面が前記制御エレメントによって係合されるように規定し、前記上部リング部は前記保持リングに螺合して接続されている、請求項１に記載の装置。
【請求項３】
前記保持リングは、前記制御エレメントが前記第２位置にある場合に前記制御エレメントによって係合されるように第２シート面を規定している、請求項２に記載の装置。
【請求項４】
少なくとも前記バルブシートの前記上部リング部および前記保持リングのひとつに形成される環状リセスであって、前記トリムアッセンブリと前記バルブ本体との間の位置でシールを収容する環状リセスを更に備えている、請求項３に記載の装置。
【請求項５】
前記シートリング部は、前記バルブ本体に螺合して接続されている、請求項３に記載の装置。
【請求項６】
前記保持リングは、前記第１位置と前記第２位置との間に前記制御エレメントを誘導するように内部シリンダー面を規定している、請求項２に記載の装置。
【請求項７】
グラファイト材を備えるピストンリングを更に備え、前記ピストンリングは前記保持リングの前記内部シリンダー面と前記制御エレメントとの間に配置され、前記トリムアッセンブリと前記制御エレメントとの間に流体密封シールを提供するものである、請求項６に記載の装置。
【請求項８】
前記保持リングは、前記内部シリンダー面に隣接した環状リセスを規定し、前記環状リセスは前記ピストンリングを収容するものである、請求項７に記載の装置。
【請求項９】
前記シールは、少なくとも４５０°Ｆ（２３２．２２℃）の温度に耐えるように構成されているものである、請求項１に記載の装置。
【請求項１０】
前記シールは、腐食および酸化抵抗のための非金属、無機、保護阻害物質を更に含むものである、請求項１に記載の装置。
【請求項１１】
前記シールは、約８５ｌｂ／ｆｔ３（１３６２ｋｇ／ｍ３）〜約９５ｌｂ／ｆｔ３（１５２２ｋｇ／ｍ３）の範囲の密度を有する、請求項１に記載の装置。
【請求項１２】
前記シールのグラファイト含量が、少なくとも９０％である、請求項１に記載の装置。
【請求項１３】
前記シールは、巻きグラファイトリボンを備えている、請求項１に記載の装置。
【請求項１４】
前記シールは、可撓性グラファイトシート層とポリテトラフルオロエチレンシート層とを交互に積層して備えている、請求項１に記載の装置。
【請求項１５】
バルブ本体と制御エレメントとを備え、前記バルブ本体は、注水口と、排水口と、前記注水口と前記排水口との間に配置されたスロートを規定するものであり、前記制御エレメントは前記スロート内部に配置され、第１位置と第２位置との間で変位されるようになって、前記バルブ本体を介して流れる流体の流れを制御するものである、流量制御装置内部に設置されるようになっているトリムアッセンブリであって、
前記スロートに隣接する前記バルブ本体に螺合して接続されるようになっているバルブシートであって、前記バルブシートはシートリング部と上部リング部とを備え、前記シートリング部は前記制御エレメントが前記第１位置にある場合、前記制御エレメントによって係合されるように第１シート面を規定するものであり、前記上部リング部は外部シリンダー面と内部シリンダー面とを規定し、前記シートリング部から前記スロートに対向して配置されるようになっている、バルブシートと；
前記バルブシートの前記上部リング部に螺合して接続され、外部シリンダー面を規定する保持リングであって、前記制御エレメントが前記第２位置にある場合に前記制御エレメントによって係合されるように第２シート面を規定するものである、保持リングと；
前記バルブシートの前記上部リング部と前記保持リングとのうちのひとつの前記外部シリンダー面に形成された環状リセスと；
前記環状リセス内部に配置され前記保持リングと前記バルブシートの前記上部リング部との間に圧縮され、バルブ本体に流体密封シールを提供するようにバルブ本体と密封係合するようになっているグラファイト材を備えるシールと、
を備えている、トリムアッセンブリ。
【請求項１６】
グラファイト材を含むピストンリングを更に備え、前記ピストンリングは前記保持リングの前記内部シリンダー面と前記制御エレメントとに隣接して形成された環状リセス内部に配置されて、前記トリムアッセンブリと前記制御エレメントとの間に流体密封シールを提供するものである、請求項１５に記載の装置。
【請求項１７】
流量制御装置であって、
注水口、排水口および前記注水口と前記排水口との間に配置されたスロートを規定するバルブ本体と；
前記バルブ本体の前記スロート内部に配置されて第１位置と第２位置との間の変位に適応し、前記バルブ本体を介して流れる流体の流れを制御する制御エレメントと；
トリムアッセンブリであって、
前記バルブ本体に対する軸方向変位に対して固定されるバルブシートであって、前記バルブシートはシートリング部と前記シートリング部からの前記スロートに対向して配置された上部リング部とを備えており、前記制御エレメントが前記第１位置にある場合、前記シートリング部は前記制御エレメントによって係合されるように第１シート面を規定するものである、バルブシートと；
前記バルブシートの前記上部リング部に螺合して接続される保持リングであって、前記制御エレメントが前記第２位置にある場合、前記制御エレメントによって係合されるように第２シート面を規定するものである、保持リングと；
を備えるトリムアッセンブリと；
前記保持リングに隣接する位置において前記トリムアッセンブリと前記バルブ本体との間の界面で規定される流体密封シールであって、
前記保持リングと前記バルブシートの前記上部リング部との間で圧縮されるグラファイト材を含む環状シールであって、前記バルブ本体に封止係合している環状シールと、
前記保持リングの外部面と前記バルブ本体との間の金属間接触部と、
のうちの一つによって提供されるものである、流体密封シールと、
を備えてなる、流量制御装置。
【請求項１８】
前記バルブシートの前記上部リング部および前記保持リングのひとつは前記トリムアッセンブリと前記バルブ本体との間の位置に前記環状シールを収容する環状リセスを備えている、請求項１７記載の装置。
【請求項１９】
前記保持リングは、前記バルブ本体の前記上部ウェブと線接触させるショルダー面を規定する段付けされた側面プロファイルを備える、請求項１７記載の装置。